(57)【要約】【目的】各放送局から放送されるＣＭの放送時間帯が重なる場合にも、ＣＭ映像の表示を回避させることが可能な放送映像表示方法及び放送受信装置を提供することを目的とする。【構成】放送波を受信して得られた受信信号中から第１選局チャンネルに対応した番組又は広告に対応した映像データを第１映像データとして復調すると共に、この受信信号中から第２選局チャンネルに対応した番組又は広告に対応した映像データを第２映像データとして復調し、第１及び第２映像データ各々が広告に対応したものであるか否かを判定する。この間、上記第２選局チャンネルを順次変更しつつ各チャンネル毎に復調された上記第２映像データの内で番組に対応した映像データを予め録画メモリに記憶させておく。ここで、上記第２映像データが番組に対応したものである場合にはこの第２映像データに基づく映像を表示し、かかる第２映像データが広告に対応したものである場合には、録画メモリから再生された再生映像データに基づく映像表示に切り替える。【選択図】図４
2009218805.tif 000002
【特許請求の範囲】
【請求項１】
複数の放送局の内の１の放送局から放送された番組又は広告に対応した映像を画面表示する放送映像表示方法であって、
放送波を受信して得られた受信信号中から第１選局チャンネルに対応した番組又は広告に対応した映像データを第１映像データとして復調する第１受信行程と、
前記受信信号中から第２選局チャンネルに対応した番組又は広告に対応した映像データを第２映像データとして復調する第２受信行程と、
前記第１映像データ及び第２映像データ各々が前記広告に対応した映像データであるか否かを判定しその判定結果を示す広告判定結果信号を生成する広告判定行程と、
前記第２選局チャンネルを順次変更しつつ各チャンネル毎に前記第２受信行程にて復調された前記第２映像データを順次録画メモリに記憶せしめると共に、前記録画メモリに記憶されている前記第２映像データを再生映像データとして読み出す録画再生行程と、
前記広告判定結果信号に応じて、前記第１映像データ、前記第２映像データ及び前記再生映像データ各々の内の１に基づく映像を選択的に画面表示する表示切換行程と、を有することを特徴とする放送映像表示方法。
【請求項２】
前記広告判定行程によって前記第２映像データが前記広告に対応したものであると判定された場合には、
前記録画再生行程は、前記録画メモリに記憶されている前記第２映像データを前記再生映像データとして読み出し、
前記表示切換行程は、前記第１映像データ、前記第２映像データ及び前記再生映像データ各々の内から前記再生映像データに基づく映像を選択的に画面表示することを特徴とする請求項１記載の放送映像表示方法。
【請求項３】
前記第２映像データが番組の前後に放送される広告に対応したものであるか否かを判定する番組前後判定行程を更に含み、
前記録画再生行程は、前記番組前後判定行程によって前記第２映像データが番組の前後に放送される広告に対応したものであると判定された場合には、当該広告の直後に放送されるべき番組の前回放送分の番組に対応した映像データを前記再生映像データとして前記録画メモリから読み出すことを特徴とする請求項１又は２記載の放送映像表示方法。
【請求項４】
前記表示切換行程は、
初期状態時には前記第１映像データ、前記第２映像データ及び前記再生映像データ各々の内から前記第１映像データに基づく映像を選択的に表示せしめ、
前記第２映像データが番組に対応したものである場合には前記第２映像データに基づく映像を選択的に画面表示する一方、前記第２映像データが広告に対応したものである場合には前記再生映像データに基づく映像を選択的に表示せしめ、
前記第１映像データが広告から番組に対応したものに切り替わった場合には当該第１映像データに基づく映像表示に切り替えることを特徴とする請求項１〜３のいずれか１に記載の放送映像表示方法。
【請求項５】
複数の放送局の内の１の放送局から放送された番組又は広告に対応した映像を画面表示する放送受信装置であって、
放送波を受信して得られた受信信号中から第１選局チャンネルに対応した番組又は広告に対応した映像データを第１映像データとして復調する第１受信手段と、
前記受信信号中から第２選局チャンネルに対応した番組又は広告に対応した映像データを第２映像データとして復調する第２受信手段と、
前記第１映像データ及び第２映像データ各々が前記広告に対応した映像データであるか否かを判定しその判定結果を示す広告判定結果信号を生成する広告判定手段と、
録画メモリと、
前記第２選局チャンネルを順次変更しつつ各チャンネル毎に前記第２受信行程にて復調された前記第２映像データを順次前記録画メモリに記憶せしめると共に、前記録画メモリに記憶されている前記第２映像データを再生映像データとして読み出す録画再生手段と、
前記広告判定結果信号に応じて、前記第１映像データ、前記第２映像データ及び前記再生映像データ各々の内の１に基づく映像を選択的に画面表示する表示切換手段と、を有することを特徴とする放送受信装置。
【請求項６】
前記広告判定結果信号に基づき前記第２映像データが前記広告に対応したものであると判定された場合には、
前記録画再生手段は、前記録画メモリに記憶されている前記第２映像データを前記再生映像データとして読み出し、
前記表示切換手段は、前記第１映像データ、前記第２映像データ及び前記再生映像データ各々の内から前記再生映像データに基づく映像を選択的に画面表示することを特徴とする請求項５記載の放送受信装置。
【請求項７】
前記受信信号中から電子番組表を表す電子番組データを抽出する手段と、
前記電子番組データに基づき前記第２映像データが番組の前後に放送される広告に対応したものであるか否かを判定する番組前後判定手段とを更に含み、
前記録画再生手段は、前記番組前後判定手段によって前記第２映像データが番組の前後に放送される広告に対応したものであると判定された場合には、当該広告の直後に放送されるべき番組の前回放送分の番組に対応した映像データを前記再生映像データとして前記録画メモリから読み出すことを特徴とする請求項５又は６記載の放送受信装置。
【請求項８】
前記表示切換手段は、
初期状態時には前記第１映像データ、前記第２映像データ及び前記再生映像データ各々の内から前記第１映像データに基づく映像を選択的に表示せしめ、
前記第２映像データが番組に対応したものである場合には前記第２映像データに基づく映像を選択的に画面表示する一方、前記第２映像データが広告に対応したものである場合には前記再生映像データに基づく映像を選択的に表示せしめ、
前記第１映像データが広告から番組に対応したものに切り替わった場合には当該第１映像データに基づく映像表示に切り替えることを特徴とする請求項５〜７のいずれか１に記載の放送受信装置。
【発明の詳細な説明】
【技術分野】
【０００１】
本発明は、テレビジョン放送を受信してその映像を画面表示する放送映像表示方法及び放送受信装置に関する。
【背景技術】
【０００２】
現在、テレビジョン放送では、番組の途中、或いは番組の前後間に、商品或いは各種サービスを宣伝する為の広告、いわゆるコマーシャル（以下、単にＣＭと称する）を挿入して放送している。このような放送方法によれば、広告主は全視聴者に対してそのＣＭを半ば強制的に見せることが可能であり、広告主にとっては高い宣伝効果が見込めるというメリットを有している。
【０００３】
ところが、ＣＭを煩わしく感じる視聴者はこのＣＭの視聴を回避すべく、番組がＣＭに切り替わる度に、別の放送局を選局すべきチャンネル切り替え操作を手動にて行っていた。従って、このような視聴者にとって、ＣＭ時におけるチャンネル切り替え操作が煩わしいという問題があった。
【０００４】
そこで、放送番組がＣＭに切り替わった場合には、自動的に他の放送局にチャンネルを切り替える機能を有するテレビジョン受信装置が提案された（例えば、特許文献１参照）。
【０００５】
しかしながら、現在の放送スケジュールによると、各テレビ局毎の番組又はＣＭの開始時刻は、概ね同一時間帯に重なっているので、視聴中の番組がＣＭに切り替わった時点で他の放送局にチャンネル切り替えを行っても、ＣＭの映像が表示されてしまう可能性が高い。よって、このＣＭ映像の視聴によって、引き続き始まる番組の印象を損ねてしまう場合があるという問題が生じた。
【特許文献１】特開平７−７５０１５号公報
【発明の開示】
【発明が解決しようとする課題】
【０００６】
本発明は、各放送局から放送されるＣＭの放送時間帯が重なる場合にも、ＣＭ映像の表示を回避させることが可能な放送映像表示方法及び放送受信装置を提供することを目的とするものである。
【課題を解決するための手段】
【０００７】
本発明による放送映像表示方法は、複数の放送局の内の１の放送局から放送された番組又は広告に対応した映像を画面表示する放送映像表示方法であって、放送波を受信して得られた受信信号中から第１選局チャンネルに対応した番組又は広告に対応した映像データを第１映像データとして復調する第１受信行程と、前記受信信号中から第２選局チャンネルに対応した番組又は広告に対応した映像データを第２映像データとして復調する第２受信行程と、前記第１映像データ及び第２映像データ各々が前記広告に対応した映像データであるか否かを判定しその判定結果を示す広告判定結果信号を生成する広告判定行程と、前記第２選局チャンネルを順次変更しつつ各チャンネル毎に前記第２受信行程にて復調された前記第２映像データを順次録画メモリに記憶せしめると共に、前記録画メモリに記憶されている前記第２映像データを再生映像データとして読み出す録画再生行程と、前記広告判定結果信号に応じて、前記第１映像データ、前記第２映像データ及び前記再生映像データ各々の内の１に基づく映像を選択的に画面表示する表示切換行程と、を有する。
【０００８】
又、本発明による放送受信装置は、複数の放送局の内の１の放送局から放送された番組又は広告に対応した映像を画面表示する放送受信装置であって、放送波を受信して得られた受信信号中から第１選局チャンネルに対応した番組又は広告に対応した映像データを第１映像データとして復調する第１受信手段と、前記受信信号中から第２選局チャンネルに対応した番組又は広告に対応した映像データを第２映像データとして復調する第２受信手段と、前記第１映像データ及び第２映像データ各々が前記広告に対応した映像データであるか否かを判定しその判定結果を示す広告判定結果信号を生成する広告判定手段と、録画メモリと、前記第２選局チャンネルを順次変更しつつ各チャンネル毎に前記第２受信行程にて復調された前記第２映像データを順次前記録画メモリに記憶せしめると共に、前記録画メモリに記憶されている前記第２映像データを再生映像データとして読み出す録画再生手段と、前記広告判定結果信号に応じて、前記第１映像データ、前記第２映像データ及び前記再生映像データ各々の内の１に基づく映像を選択的に画面表示する表示切換手段と、を有する。
【発明の効果】
【０００９】
本発明によれば、各放送局から放送されるＣＭの放送時間帯が重なる場合にも、このＣＭ放送の時間帯において、予め録画しておいた番組の再生映像に切り替えるようにしたので、ＣＭ映像の視聴を回避させることができ、番組の選択を容易に行うことが可能となる。
【発明を実施するための最良の形態】
【００１０】
放送波を受信して得られた受信信号中から第１選局チャンネルに対応した番組又は広告に対応した映像データを第１映像データとして復調すると共に、この受信信号中から第２選局チャンネルに対応した番組又は広告に対応した映像データを第２映像データとして復調し、これら第１及び第２映像データ各々が広告に対応したものであるか否かを判定する。この間、上記第２選局チャンネルを順次変更しつつ各チャンネル毎に復調された上記第２映像データの内で番組に対応した映像データを予め録画メモリに記憶させておく。ここで、上記第２映像データが番組に対応したものである場合にはこの第２映像データに基づく映像を表示し、かかる第２映像データが広告に対応したものである場合には、録画メモリから再生された再生映像データに基づく映像表示に切り替える。かかる動作によれば、各放送局から放送される広告の放送時間帯が重なる際に、この広告の視聴を回避すべきチャンネル変更操作が視聴者によって為された場合にも、番組（再生映像データ）に対応した映像を表示させることが可能となる。
【実施例１】
【００１１】
図１は、本発明による放送映像表示方法に従って、受信したテレビジョン放送波に基づく映像を表示する放送受信装置の概略構成を示す図である。
【００１２】
図１において、アンテナ１００は、複数の放送局から放送されたテレビジョン放送波を受信して得られた受信信号ＲＦを、第１のチューナとしてのチューナ部１０１及び第２のチューナとしてのチューナ部１０２に夫々供給する。
【００１３】
操作部１０４は、この放送受信装置の動作を指示する為の各種操作を受け付けその操作に応じた各種操作信号をコントローラ２００に供給する。例えば、操作部１０４の操作面には、図２に示す如き矢印方向キーＫ１及び決定キーＫ２が設けられている。操作部１０４は、視聴者からのチャンネル変更操作、つまり放送局の選局操作を矢印方向キーＫ１によって受け付け、その選局操作によって指定された放送局のチャンネル番号を示す選局信号ＣＳをコントローラ２００に供給する。決定キーＫ２は、かかるチャンネル変更操作に応じた選局状態を最終的に決定する際に視聴者によって押圧されるものである。操作部１０４は、決定キーＫ２の押圧操作に応じて、決定信号ＥＮをコントローラ２００に供給する。
【００１４】
チューナ部１０１は、コントローラ２００から供給された選局信号ＣＳ１にて示されるチャンネル番号の放送局から放送された番組又はＣＭに対応した映像及び音声データを上記受信信号ＲＦ中から夫々復調し、これら復調された映像及び音声データを第１映像音声データＡＶ１としてＣＭ判定部１０７及び出力セレクタ１１０に供給する。
【００１５】
巡回選局部１０８は、受信対象となるＭ個の放送局各々のチャンネル番号がＭ個の番地「１」〜番地「Ｍ」に夫々対応づけして予め記憶されているチャンネルメモリ（図示せぬ）と、かかるチャンネルメモリからの読み出し番地を指定する為の番地レジスタ（図示せぬ）とを含む。番地レジスタは、コントローラ２００から選局変更トリガ信号ＣＴが供給される度に、記憶されている番地を１だけインクリメントしたものを新たな読み出し番地として上書き記憶する。チャンネルメモリは、かかる番地レジスタに記憶に記憶されている読み出し番地に対応したチャンネル番号を読み出し、このチャンネル番号を示す選局信号ＣＳＪをチューナ部１０２に供給する。尚、番地レジスタは、最終の番地「Ｍ」が記憶されている状態で、選局変更トリガ信号ＣＴが供給された場合には、新たな読み出し番地として初期の番地「１」を上書き記憶する。
【００１６】
以上の如き動作により、巡回選局部１０８は、コントローラ２００から選局変更トリガ信号ＣＴが供給される度に選局対象とすべき放送局のチャンネル番号を変更するという選局変更動作を、Ｍ個の放送局夫々に対応したチャンネル番号の各々を順次巡回させて実行する。
【００１７】
チューナ部１０２は、上記選局信号ＣＳＪ又はコントローラ２００から供給された選局信号ＣＳ２にて示されるチャンネル番号に対応した放送局から放送された番組又はＣＭに対応した映像及び音声データを上記受信信号ＲＦ中から夫々復調する。そして、チューナ部１０２は、これら復調された映像及び音声データを第２映像音声データＡＶ２としてＣＭ判定部１０７、録画メモリ１０９及び出力セレクタ１１０に供給する。
【００１８】
ＣＭ判定部１０７は、上記第１映像音声データＡＶ１、第２映像音声データＡＶ２各々に対して個別に、この映像音声データによって表される映像及び音声がＣＭに対応したものであるか否かの判定を行い、その判定結果を第１映像音声データＡＶ１及び第２映像音声データＡＶ２毎に示すＣＭ判定結果信号ＣＭＤをコントローラ２００に供給する。
【００１９】
録画メモリ１０９は、コントローラ２００から供給された録画開始指令信号ＲＥＣに応じて、チューナ１０２から供給された第２映像音声データＡＶ２を順次、記憶して行く。又、録画メモリ１０９は、コントローラ２００から供給された録画停止指令信号ＳＴＰに応じて、その記憶動作を停止する。更に、録画メモリ１０９は、コントローラ２００から供給された番組再生指令信号ＰＬＹに応じて、この番組再生指令信号ＰＬＹによって指定された第２映像音声データＡＶ２を読み出し、これを再生映像音声データＡＶＲとして出力セレクタ１１０に供給する。
【００２０】
出力セレクタ１１０は、上記再生映像音声データＡＶＲ、第１映像音声データＡＶ１及び第２映像音声データＡＶ２の内から、コントローラ２００から供給された出力選択信号ＳＥＬによって示される１つを選択し、これを映像音声データＤＤとして表示装置１２０に供給する。表示装置１２０は、かかる映像音声データＤＤに対応した映像を表示すると共に、その音声を音響出力する。
【００２１】
コントローラ２００は、電源投入時（初期状態時）には、上記再生映像音声データＡＶＲ、第１映像音声データＡＶ１及び第２映像音声データＡＶ２の内からＡＶ１を選択させるべき出力選択信号ＳＥＬを出力セレクタ１１０に供給する。すなわち、初期状態時においては、チューナ部１０１にて選局された放送局から放送された番組又はＣＭに対応した映像及び音声が表示装置１２０によって表示及び音声出力されるのである。
【００２２】
更に、かかる電源投入直後、又は操作部１０４を用いた視聴者操作が為されていない間（待機状態）において、コントローラ２００は、図３に示す如き番組最後尾部録画処理サブルーチンを実行する。
【００２３】
図３において、先ず、コントローラ２００は、視聴者による操作部１０４を用いた操作が為されたか否かを判定する（ステップＳ２２）。ステップＳ２２において、視聴者の操作が為されていないと判定された場合、コントローラ２００は、ＣＭ判定部１０７から供給されたＣＭ判定結果信号ＣＭＤに基づき、チューナ部１０２にて復調された第２映像音声データＡＶ２がＣＭに対応したものであるか否かを判定する（ステップＳ２３）。
【００２４】
ステップＳ２３において、第２映像音声データＡＶ２がＣＭに対応したものではない、つまり番組に対応したものであると判定された場合、コントローラ２００は、かかる第２映像音声データＡＶ２を録画メモリ１０９に録画させるべき録画開始指令信号ＲＥＣを、この録画メモリ１０９に供給する（ステップＳ２４）。ステップＳ２４の実行により、録画メモリ１０９は、放送局のチャンネル番号に対応づけして、このチューナ１０２にて復調された第２映像音声データＡＶ２を順次、記憶して行く。この際、録画メモリ１０９内に既にこのチャンネル番号に対応した第２映像音声データＡＶ２が記憶済みである場合には、録画メモリ１０９は、現時点においてチューナ１０２から供給された第２映像音声データＡＶ２を追記して行く。次に、コントローラ２００は、録画メモリ１０９内における上記チャンネル番号に対応した記憶済み領域に記憶された第２映像音声データＡＶ２のデータ量が、所定の第１時間（例えば５分間）分を超えたか否かを判定する（ステップＳ２５）。ステップＳ２５において、このチャンネル番号に対応した記憶済み領域に記憶されている第２映像音声データＡＶ２のデータ量が上記第１時間分のデータ量を超えたと判定された場合、コントローラ２００は、ＡＶ２のデータ量が上記第１時間分となるように、その先頭部を切り捨てるべき先頭部切り捨て指令信号を録画メモリ１０９に供給する（ステップＳ２６）。ステップＳ２６の実行後、又は上記ステップＳ２５においてチャンネル番号に対応した記憶済み領域が所定の第１時間分のデータ量を超えていないと判定された場合、コントローラ２００は、かかるチャンネル番号に対応した記憶済み領域が所定の第２時間（例えば、５秒〜３０秒間）分のデータ量を超えたか否かの判定を行う（ステップＳ２７）。ステップＳ２７において、上記第２時間分のデータ量を超えていないと判定された場合、コントローラ２００は、上記ステップＳ２２の実行に戻り、前述した如き動作を再び実行する。
【００２５】
ステップ２３において第２映像音声データＡＶ２がＣＭに対応したものであると判定された場合、第２映像音声データＡＶ２が録画中であるかを調べる（ステップＳ２３２）。ステップＳ２３２において第２映像音声データＡＶ２が録画中であると判定された場合、コントローラ２００は、録画メモリ１０９による録画動作を停止させるべき録画停止指令信号ＳＴＰをこの録画メモリ１０９に供給する（ステップＳ２３３）。
【００２６】
一方、かかるステップＳ２７において上記チャンネル番号に対応した記憶済み領域が上記第２時間分のデータ量を超えたと判定された場合、コントローラ２００は、録画メモリ１０９による録画動作を停止させるべき録画停止指令信号ＳＴＰをこの録画メモリ１０９に供給する（ステップＳ２８）。ステップＳ２４〜Ｓ２８の実行によれば、第２映像音声データＡＶ２に基づく番組の後尾部が録画メモリ１０９に記憶される。かかるステップＳ２８の実行後、又は上記ステップＳ２３において第２映像音声データＡＶ２がＣＭに対応したものであると判定された場合、コントローラ２００は、選局変更トリガ信号ＣＴを巡回選局部１０８に供給する（ステップＳ２９）。ステップＳ２９の実行により、巡回選局部１０８は、前回、選局対象とした放送局のチャンネル番号を他の放送局に対応したものに変更すべく、他の放送局のチャンネル番号を示す選局信号ＣＳＪをチューナ部１０２に供給する。これにより、チューナ部１０２は、変更した放送局から放送された番組又はＣＭに対応した第２映像音声データＡＶ２をＣＭ判定回路１０７、録画メモリ１０９及び出力セレクタ１１０に供給する。かかるステップＳ２９の実行後、コントローラ２００は、上記ステップＳ２２の実行に戻り、前述した如き動作を再び実行する。
【００２７】
尚、ステップＳ２２において、視聴者の操作が為されたと判定された場合、コントローラ２００は、第２映像音声データＡＶ２が録画中であるかを調べる（ステップＳ３０）。ステップＳ３０において第２映像音声データＡＶ２が録画中であると判定された場合、コントローラ２００は、録画メモリ１０９による録画動作を停止させるべき録画停止指令信号ＳＴＰをこの録画メモリ１０９に供給する（ステップＳ３１）。ステップＳ３１の処理終了後、あるいはステップＳ３０において第２映像音声データＡＶ２が録画中でない場合、図３に示される番組最後尾部録画処理サブルーチンを抜けて、この視聴者の操作に応じた制御処理（図示せぬ）の実行に移る。
【００２８】
このように、上記番組最後尾部録画処理によれば、視聴者による選局操作に拘わらず、現時点までに複数の放送局各々で放送された番組（ＣＭ部を除く）各々の最後尾部（第１時間分）が、各放送局のチャンネル番号に対応づけされて録画メモリ１０９に録画される。
【００２９】
ここで、視聴者が、図２に示す如く操作部１０４に設けられている矢印方向キーＫ１を操作することにより、チャンネルの変更、つまり放送局を変更させるべき選局操作を行うと、操作部１０４は、その変更先の放送局のチャンネルを示す選局信号ＣＳをコントローラ２００に供給する。コントローラ２００は、かかる選局信号ＣＳの供給に応じて、図４に示す如きＣＭ回避処理サブルーチンの実行を行う。
【００３０】
図４において、先ず、コントローラ２００は、ＣＭ判定部１０７から供給されたＣＭ判定結果信号ＣＭＤに基づき、チューナ部１０１によって復調された上記第１映像音声データＡＶ１が、ＣＭ及び番組の内のどちらに対応したものであるのかを示す番組ＣＭ状態情報Ｃ１を番組ＣＭ状態レジスタ１０６に記憶させる（ステップＳ２）。次に、コントローラ２００は、上記選局信号ＣＳによって示されるチャンネル番号の放送局を選局させるべく、このチャンネル番号を示す選局信号ＣＳ２をチューナ部１０２に供給する（ステップＳ３）。かかるステップＳ３の実行に応じて、チューナ部１０２は、選局信号ＣＳ２によって示されるチャンネル番号の放送局から放送された番組又はＣＭに対応した第２映像音声データＡＶ２を復調し、これをＣＭ判定部１０７、録画メモリ１０９及び出力セレクタ１１０に供給する。
【００３１】
次に、コントローラ２００は、ＣＭ判定部１０７から供給されたＣＭ判定結果信号ＣＭＤに基づき、チューナ部１０２にて復調された上記第２映像音声データＡＶ２がＣＭに対応したものであるか否かを判定する（ステップＳ４）。かかるステップＳ４において、第２映像音声データＡＶ２がＣＭに対応したものではない、つまり番組に対応したものであると判定された場合、コントローラ２００は、かかる第２映像音声データＡＶ２を選択させるべき出力選択信号ＳＥＬを出力セレクタ１１０に供給する（ステップＳ５）。かかるステップＳ５の実行によれば、上述した如きチャンネル変更先のチャンネルに対応した放送局から放送された番組に対応した映像及び音声が、表示装置１２０によって表示及び音声出力される。
【００３２】
一方、上記ステップＳ４において第２映像音声データＡＶ２がＣＭに対応したものでると判定された場合、コントローラ２００は、録画メモリ１０９内に、上記ステップＳ２の段階でチューナ部１０２に供給された選局信号ＣＳ２にて示されるチャンネル番号に対応した第２映像音声データＡＶ２が存在するか否かを判定する（ステップＳ６）。かかるステップＳ６において、選局信号ＣＳ２にて示されるチャンネル番号に対応した第２映像音声データＡＶ２が録画メモリ１０９の記憶内容中に存在しないと判定された場合、コントローラ２００は、上記ステップＳ５の実行に移行する。すなわち、この際、チューナ部１０２にて選局された放送局から放送されたＣＭに対応した映像及び音声が、表示装置１２０によって表示及び音声出力される。
【００３３】
一方、上記ステップＳ６において選局信号ＣＳ２にて示されるチャンネル番号に対応した第２映像音声データＡＶ２が録画メモリ１０９内に存在すると判定された場合、コントローラ２００は、そのチャンネル番号に対応した第２映像音声データＡＶ２を再生させるべき番組再生指令信号ＰＬＹを録画メモリ１０９に供給する。更に、コントローラ２００は、この番組再生指令信号ＰＬＹに応じて録画メモリ１０９から再生出力された再生映像音声データＡＶＲを選択させるべき選択信号ＳＥＬを出力セレクタ１１０に供給する（ステップＳ７）。かかるステップＳ７の実行によれば、ＣＭ放送中にも拘わらず、予め録画メモリ１０９に録画された各チャンネル毎の番組各々の内で、上記選局信号ＣＳ２にて示されるチャンネル番号に対応した番組の映像及び音声が表示装置１２０によって表示及び音声出力される。
【００３４】
上記ステップＳ５又はＳ７の実行後、コントローラ２００は、操作部１０４から、視聴者による新たな操作に応じた選局信号ＣＳ又は決定信号ＥＮが供給されたか否かの判定を行う（ステップＳ８１）。かかるステップＳ８１において、新たな操作に応じた選局信号ＣＳ及び決定信号ＥＮのいずれもが供給されていないと判定された場合、コントローラ２００は、ＣＭ番組状態レジスタ１０６に記憶されている番組ＣＭ状態情報Ｃ１に基づき第１映像音声データＡＶ１がＣＭに対応したものであったか否かを判定する（ステップＳ９）。すなわち、ステップＳ９では、チャンネル変更前にチューナ部１０１で復調された第１映像音声データＡＶ１がＣＭに対応したものであったか否かを判定するのである。ステップＳ９において第１映像音声データＡＶ１がＣＭに対応したものではない、つまり番組に対応したものであったと判定された場合、コントローラ２００は、上記ステップＳ８１の実行に戻り、前述した如き動作を再び実行する。一方、かかるステップＳ９において、第１映像音声データＡＶ１がＣＭに対応したものであったと判定された場合、コントローラ２００は、ＣＭ判定部１０７から供給されたＣＭ判定結果信号ＣＭＤに基づき、現時点においてチューナ部１０１で復調された第１映像音声データＡＶ１が番組に対応したものであるか否かを判定する（ステップＳ１０）。ステップＳ１０において、第１映像音声データＡＶ１が番組に対応したものではないと判定された場合、コントローラ２００は、上記ステップＳ８１の実行に戻り、前述した如き動作を繰り返し実行する。
【００３５】
一方、ステップＳ１０において、第１映像音声データＡＶ１が番組に対応したものであると判定された場合、コントローラ２００は、第１映像音声データＡＶ１を選択させるべき選択信号ＳＥＬを出力セレクタ１１０に供給する（ステップＳ１１）。かかるステップＳ１１の実行によれば、チューナ部１０１において選局された放送局から放送された番組に対応した映像及び音声が表示装置１２０によって表示及び音声出力される。
【００３６】
又、上記ステップＳ８１において、操作部１０４から選局信号ＣＳ又は決定信号ＥＮが供給されたと判定された場合、コントローラ２００は、これが決定信号ＥＮであるのか否かを判定する（ステップＳ８２）。ステップＳ８２において、決定信号ＥＮではないと判定された場合、つまりチャンネルを変更させるべき選局信号ＣＳが供給された場合には、コントローラ２００は、上記ステップＳ３の実行に戻り、前述した如き動作を再度実行する。一方、かかるステップＳ８２において、決定信号ＥＮが供給されたと判定された場合、コントローラ２００は、ＣＭ判定部１０７から供給されたＣＭ判定結果信号ＣＭＤに基づき、現時点においてチューナ部１０２で復調された第２映像音声データＡＶ２が番組に対応したものであるか否かを判定する（ステップＳ１２）。ステップＳ１２において、第２映像音声データＡＶ２が番組に対応したものではないと判定された場合、コントローラ２００は、上記ステップＳ８１の実行に戻り、前述した如き動作を繰り返し実行する。
【００３７】
一方、ステップＳ１２において、第２映像音声データＡＶ２が番組に対応したものであると判定された場合、コントローラ２００は、上記ステップＳ３においてチューナ部１０２に供給した選局信号ＣＳ２にて示されるチャンネル番号と同一のチャンネル番号を示す選局信号ＣＳ１をチューナ部１０１に供給し（ステップＳ１３）、その後、上記ステップＳ１１の実行に移る。これらステップＳ１３及びＳ１１による一連の制御によれば、視聴者のチャンネル変更操作に応じて選局された放送局から放送された番組に対応した第１映像音声データＡＶ１がチューナ部１０１にて復調され、この第１映像音声データＡＶ１に基づく映像及び音声が、表示装置１２０によって表示及び音声出力される。
【００３８】
そして、上記ステップＳ１１の実行後、コントローラ２００は、図４に示されるＣＭ回避処理サブルーチンを抜けて、メインフロー（図示せぬ）に従った制御の実行に移行する。
【００３９】
上記ＣＭ回避処理によれば、チューナ部１０１で復調された第１映像音声データＡＶ１に基づく映像を視聴している際に視聴者がチャンネル変更を行うと、その視聴映像が、一旦、第２のチューナ部１０２で復調された第２映像音声データＡＶ２に基づく番組（ＣＭを含まず）の映像に切り替わる（ステップＳ５）。
【００４０】
ただし、このチューナ部１０２で復調された第２映像音声データＡＶ２がＣＭに対応したものである場合には、その視聴映像を、録画メモリ１０９に予め録画しておいた番組各々の内からチューナ部１０２で選局されたチャンネル番号に対応した番組を再生して得られた再生映像に切り替える（ステップＳ７）。
【００４１】
よって、視聴者がチャンネル変更操作を行った際に、変更先チャンネルの放送局がＣＭ放送中であったとしても、この際、予め録画メモリ１０９に録画しておいた上記変更先チャンネルで放送された番組の再生映像が表示されるようになる。従って、視聴者は、ＣＭを視聴することなく、変更先チャンネルの番組を視聴しつづけるか否かの判断を行うことが可能となる。
【００４２】
又、上記ＣＭ回避処理によれば、上記の如きチャンネル変更後、視聴者が決定キーＫ２の押圧操作をしなければ、変更前のチャンネルの放送局からの放送内容がＣＭから番組に切り替わると、この変更前のチャンネルの放送局から放送されている番組の表示に切り替わる（ステップＳ８２、Ｓ９〜Ｓ１１）。
【００４３】
従って、図１に示される放送受信装置によれば、例えＣＭの放送時間帯が各放送局毎に重なっていても、視聴者によるチャンネル変更操作に応じて、番組の表示のみを行うことが可能となる。
【００４４】
尚、上記実施例においては、変更前のチャンネルの放送局の放送内容がＣＭから番組に切り替わると、直ちに、この変更前のチャンネルの放送局から放送されている番組の表示に戻すようにしているが、変更前のチャンネルに戻す前に、その旨を示す文字情報を表示装置１２０で表示させるようにしても良い。
【００４５】
又、操作部１０４に、録画メモリ１０９の内容を直接読み出す為の録画読出操作を受け付けるキーを設け、このキー操作に応じて、録画メモリ１０９に記憶されている録画内容を任意に読み出して表示装置１２０で表示させるようにしても良い。
【実施例２】
【００４６】
図５は、本発明による放送映像表示方法に従って受信したテレビジョン放送波に基づく映像を表示する放送受信装置の他の構成を示す図である。
【００４７】
尚、図５に示される放送受信装置は、図１に示されるコントローラ２００に代わりコントローラ２１０を採用し、新たにチューナ２０２を採用した点を除く他の構成は、図１に示されるものと同一である。よって、以下に、チューナ部２０２及びコントローラ２１０の動作を中心にして図５に示される放送受信装置の動作を説明する。
【００４８】
図５において、チューナ部２０２は、所定の放送局から放送されたＥＰＧ（Electric Program Guide）情報を受信信号ＲＦ中から復調し、このＥＰＧ情報を表す電子番組データＥＰＧをコントローラ２１０に供給する。
【００４９】
コントローラ２１０は、電源投入時（初期状態時）には、チューナ部１０１にて復調された第１映像音声データＡＶ１を選択させるべき出力選択信号ＳＥＬを出力セレクタ１１０に供給する。すなわち、初期状態時においては、チューナ部１０１にて選局された放送局から放送された番組又はＣＭに対応した映像及び音声が表示装置１２０によって表示及び音声出力される。
【００５０】
更に、かかる電源投入直後、又は操作部１０４を用いた視聴者操作が為されていない間（待機状態）において、コントローラ２１０は、図６に示す如き予告用番組録画処理サブルーチンを実行する。
【００５１】
図６において、先ず、コントローラ２１０は、視聴者による操作部１０４を用いた操作が為されたか否かを判定する（ステップＳ１２２）。ステップＳ１２２において、視聴者の操作が為されていないと判定された場合、コントローラ２１０は、ＣＭ判定部１０７から供給されたＣＭ判定結果信号ＣＭＤに基づき、チューナ部１０２にて復調された第２映像音声データＡＶ２がＣＭに対応したものであるか否かを判定する（ステップＳ１２３）。ステップＳ１２３において、第２映像音声データＡＶ２がＣＭに対応したものではない、つまり番組に対応したものであると判定された場合、コントローラ２１０は、上記電子番組データＥＰＧに基づき、この番組が、録画メモリ１０９に既に録画済みの番組の次回作に該当する番組であるか否かを以下の如く判定する（ステップＳ１３１）。尚、電子番組データＥＰＧは、例えば図７に示す如く、放送日及びチャンネル番号に対応付けして、各番組の番組名とその放送時間帯とを示す情報を含むものである。又、録画メモリ１０９には、図８に示す如く各番組毎に、チャンネル番号、放送時間帯、番組名及び放送日を示す予告番組録画情報に対応づけして、その番組に対応した第２映像音声データＡＶ２が記憶されている。
【００５２】
すなわち、上記ステップＳ１３１においてコントローラ２１０は、現時点でチューナ部１０２から送出された第２映像音声データＡＶ２に対応した番組の番組名を上記電子番組データＥＰＧ中から検索し、その番組名に対応した放送日と今日の日付とを比較する。この際、両者が異なる場合には、現時点でチューナ部１０２で復調された第２映像音声データＡＶ２に対応した番組は、録画メモリ１０９に録画済み番組の次回作の番組であると判定される。例えば連続ドラマ等の番組は各週毎に同一番組名で放送されるので、連続ドラマに該当する番組が録画メモリ１０９に記憶済みである際に、チューナ部１０２にてこの番組と同一番組名の番組に対応した第２映像音声データＡＶ２が送出された場合には、かかる第２映像音声データＡＶ２は、録画済み番組の次回作の番組であると判定されることになる。
【００５３】
上記ステップＳ１３１において、現時点でチューナ部１０２で復調された番組が、録画メモリ１０９に録画済み番組の次回作の番組であると判定されると、コントローラ２１０は、この録画メモリ１０９に録画済みの番組を消去させるべき番組消去指令を録画メモリ１０９に供給する（ステップＳ１３２）。
【００５４】
上記ステップＳ１３２の終了後、又は上記ステップＳ１３１において録画メモリ１０９に録画済み番組の次回作の番組ではないと判定された場合、コントローラ２１０は、現時点でチューナ部１０２で復調された第２映像音声データＡＶ２を録画メモリ１０９に録画させるべき録画開始指令信号ＲＥＣを、この録画メモリ１０９に供給する（ステップＳ１２４）。ステップＳ１２４の実行により、録画メモリ１０９は、チューナ２０２にて復調された上記電子番組データＥＰＧにて示される番組情報に基づく図８に示す如き予告番組録画情報に対応付けして、チューナ部１０２から供給された第２映像音声データＡＶ２を記憶する。
【００５５】
次に、コントローラ２１０は、録画メモリ１０９内における上記チャンネル番号に対応した記憶済み領域に記憶された第２映像音声データＡＶ２のデータ量が、所定の第１時間（例えば５分間）分を超えたか否かを判定する（ステップＳ１２５）。ステップＳ１２５において、このチャンネル番号に対応した記憶済み領域に記憶されている第２映像音声データＡＶ２のデータ量が上記第１時間分のデータ量を超えたと判定された場合、コントローラ２１０は、ＡＶ２のデータ量が上記第１時間分となるように、その先頭部を切り捨てるべき先頭部切り捨て指令信号を録画メモリ１０９に供給する（ステップＳ１２６）。ステップＳ１２６の実行後、又は上記ステップＳ１２５においてチャンネル番号に対応した記憶済み領域が所定の第１時間分のデータ量を超えていないと判定された場合、コントローラ２１０は、かかるチャンネル番号に対応した記憶済み領域が所定の第２時間（例えば、５秒〜３０秒間）分のデータ量を超えたか否かの判定を行う（ステップＳ１２７）。ステップＳ１２７において、上記第２時間分のデータ量を超えていないと判定された場合、コントローラ２１０は、上記ステップＳ１２２の実行に戻り、前述した如き動作を再び実行する。ステップ１２３において第２映像音声データＡＶ２がＣＭに対応したものであると判定された場合、第２映像音声データＡＶ２が録画中であるかを調べる（ステップＳ１２３２）。ステップＳ１２３２において第２映像音声データＡＶ２が録画中であると判定された場合、コントローラ２００は、録画メモリ１０９による録画動作を停止させるべき録画停止指令信号ＳＴＰをこの録画メモリ１０９に供給する（ステップＳ１２３３）。
【００５６】
一方、上記ステップＳ１２７において上記チャンネル番号に対応した記憶済み領域が上記第２時間分のデータ量を超えたと判定された場合、コントローラ２１０は、録画メモリ１０９による録画動作を停止させるべき録画停止指令信号ＳＴＰをこの録画メモリ１０９に供給する（ステップＳ１２８）。ステップＳ１２４〜Ｓ１２８の実行によれば、第２映像音声データＡＶ２に基づく番組の後尾部が録画メモリ１０９に記憶される。
【００５７】
上記ステップＳ１２８の実行後、又は上記ステップＳ１２３において第２映像音声データＡＶ２がＣＭに対応したものであると判定された場合、コントローラ２１０は、選局変更トリガ信号ＣＴを巡回選局部１０８に供給する（ステップＳ１２９）。ステップＳ１２９の実行により、巡回選局部１０８は、前回、選局対象とした放送局のチャンネル番号を他の放送局に対応したものに変更すべく、他の放送局のチャンネル番号を示す選局信号ＣＳＪをチューナ部１０２に供給する。これにより、チューナ部１０２は、変更した放送局から放送された番組又はＣＭに対応した第２映像音声データＡＶ２をＣＭ判定回路１０７、録画メモリ１０９及び出力セレクタ１１０に供給する。かかるステップＳ１２９の実行後、コントローラ２１０は、上記ステップＳ１２２の実行に戻り、前述した如き動作を再び実行する。
【００５８】
尚、ステップＳ１２２において、視聴者の操作が為されたと判定された場合、コントローラ２１０は、第２映像音声データＡＶ２が録画中であるかを調べる（ステップＳ１３０）。ステップＳ１３０において第２映像音声データＡＶ２が録画中であると判定された場合、コントローラ２００は、録画メモリ１０９による録画動作を停止させるべき録画停止指令信号ＳＴＰをこの録画メモリ１０９に供給する（ステップＳ１３１）。ステップＳ３１の処理終了後、あるいはステップＳ１３０において第２映像音声データＡＶ２が録画中でない場合、図６に示される予告用番組録画処理サブルーチンを抜けて、この視聴者の操作に応じた制御処理（図示せぬ）の実行に移る。
【００５９】
上記予告用番組録画処理によれば、視聴者による選局操作に拘わらず、現時点までに複数の放送局各々で放送された番組（ＣＭ部を除く）各々の最後尾部（第１時間分）が、各放送局のチャンネル番号に対応づけされて録画メモリ１０９に録画される。更に、かかる予告用番組録画処理によれば、例えば連続ドラマ等のように、各週毎に同一番組名の番組が放送される場合には、その最新の放送回分に対応した第２映像音声データＡＶ２が、予告用録画番組データとして録画メモリ１０９に録画される。
【００６０】
ここで、視聴者が、図２に示す如く操作部１０４に設けられている矢印方向キーＫ１を操作することにより、チャンネルの変更、つまり放送局を変更させるべき選局操作を行うと、操作部１０４は、その変更先の放送局のチャンネルを示す選局信号ＣＳをコントローラ２１０に供給する。コントローラ２１０は、かかる選局信号ＣＳの供給に応じて、図９に示す如きＣＭ回避処理サブルーチンの実行を行う。
【００６１】
図９において、先ず、コントローラ２１０は、ＣＭ判定部１０７から供給されたＣＭ判定結果信号ＣＭＤに基づき、チューナ部１０１によって復調された上記第１映像音声データＡＶ１が、ＣＭ及び番組の内のどちらに対応したものであるのかを示す番組ＣＭ状態情報Ｃ１を番組ＣＭ状態レジスタ１０６に記憶させる（ステップＳ１０２）。次に、コントローラ２１０は、上記選局信号ＣＳによって示されるチャンネル番号の放送局を選局させるべく、このチャンネル番号を示す選局信号ＣＳ２をチューナ部１０２に供給する（ステップＳ１０３）。かかるステップＳ１０３の実行に応じて、チューナ部１０２は、選局信号ＣＳ２によって示されるチャンネル番号の放送局から放送された番組又はＣＭに対応した第２映像音声データＡＶ２を復調し、これをＣＭ判定部１０７、録画メモリ１０９及び出力セレクタ１１０に供給する。
【００６２】
次に、コントローラ２１０は、ＣＭ判定部１０７から供給されたＣＭ判定結果信号ＣＭＤに基づき、チューナ部１０２にて復調された上記第２映像音声データＡＶ２がＣＭに対応したものであるか否かを判定する（ステップＳ１０４）。かかるステップＳ１０４において、第２映像音声データＡＶ２がＣＭに対応したものではない、つまり番組に対応したものであると判定された場合、コントローラ２１０は、かかる第２映像音声データＡＶ２を選択させるべき出力選択信号ＳＥＬを出力セレクタ１１０に供給する（ステップＳ１０５）。かかるステップＳ１０５の実行によれば、上述した如きチャンネル変更先のチャンネルに対応した放送局から放送された番組に対応した映像及び音声が、表示装置１２０によって表示及び音声出力される。
【００６３】
一方、上記ステップＳ１０４において第２映像音声データＡＶ２がＣＭに対応したものでると判定された場合、コントローラ２１０は、上記電子番組データＥＰＧに基づき、現時点が番組と番組との間の時点、つまり番組前後の時点であるか否かを判定する（ステップＳ１６１）。ステップＳ１６１において、番組前後の時点であると判定された場合、コントローラ２１０は、上記電子番組データＥＰＧ及び図８に示す予告番組録画情報に基づき、このＣＭの直後に開始される番組と同一番組名の番組に対応した第２映像音声データＡＶ２、つまり予告用録画番組データが録画メモリ１０９に記憶済みであるか否かを判定する（ステップＳ１６２）。ステップＳ１６２において、かかる予告用録画番組データが録画メモリ１０９に記憶済みであると判定されると、コントローラ２１０は、上記の如きＣＭの直後に開始される番組と同一番組名の番組に対応した第２映像音声データＡＶ２（予告用録画番組データ）を再生させるべき番組再生指令信号ＰＬＹを録画メモリ１０９に供給する（ステップＳ１６３）。一方、上記ステップＳ１６１において、番組前後の時点ではないと判定された場合、つまり番組途中の時点である場合、コントローラ２１０は、録画メモリ１０９内に、上記ステップＳ２の段階でチューナ部１０２に供給された選局信号ＣＳ２にて示されるチャンネル番号に対応した第２映像音声データＡＶ２が存在するか否かを判定する（ステップＳ１６４）。このステップＳ１６４において選局信号ＣＳ２にて示されるチャンネル番号に対応した第２映像音声データＡＶ２が録画メモリ１０９内に存在すると判定された場合、コントローラ２１０は、そのチャンネル番号に対応した第２映像音声データＡＶ２を再生させるべき番組再生指令信号ＰＬＹを録画メモリ１０９に供給する（ステップＳ１６５）。
【００６４】
上記ステップＳ１６３又はＳ１６５の実行後、コントローラ２１０は、録画メモリ１０９から再生出力された再生映像音声データＡＶＲを選択させるべき選択信号ＳＥＬを出力セレクタ１１０に供給する（ステップＳ１０７）。
【００６５】
かかるステップＳ１０７の実行によれば、放送局側がＣＭ放送中にも拘わらず、録画メモリ１０９から再生された番組（選局信号ＣＳ２にて示されるチャンネル番号に対応した番組）の映像及び音声が表示装置１２０によって表示及び音声出力される。尚、このＣＭ放送の時点が番組前後の時点である場合には、かかるＣＭ直後に放送されるべき番組と同一番組名の番組における最後尾部の映像及び音声が表示装置１２０によって表示及び音声出力される。
【００６６】
又、上記ステップＳ１６４又はＳ１６２において、該当する第２映像音声データＡＶ２が録画メモリ１０９内に存在しないと判定された場合、コントローラ２１０は、上記ステップＳ１０５の実行に移行する。すなわち、この際、チューナ部１０２にて選局された放送局から放送されたＣＭに対応した映像及び音声が、表示装置１２０によって表示及び音声出力される。
【００６７】
上記ステップＳ１０５又はＳ１０７の実行後、コントローラ２１０は、操作部１０４から、視聴者による新たな操作に応じた選局信号ＣＳ又は決定信号ＥＮが供給されたか否かの判定を行う（ステップＳ１８１）。かかるステップＳ１８１において、選局信号ＣＳ及び決定信号ＥＮのいずれもが供給されていないと判定された場合、コントローラ２１０は、ＣＭ番組状態レジスタ１０６に記憶されている番組ＣＭ状態情報Ｃ１に基づき、第１映像音声データＡＶ１がＣＭに対応したものであったか否かを判定する（ステップＳ１０９）。すなわち、ステップＳ１０９では、チャンネル変更前にチューナ部１０１で復調された第１映像音声データＡＶ１がＣＭに対応したものであったか否かを判定するのである。ステップＳ１０９において第１映像音声データＡＶ１がＣＭに対応したものではない、つまり番組に対応したものであったと判定された場合、コントローラ２１０は、上記ステップＳ１８１の実行に戻り、前述した如き動作を再び実行する。一方、かかるステップＳ１０９において、第１映像音声データＡＶ１がＣＭに対応したものであったと判定された場合、コントローラ２１０は、ＣＭ判定部１０７から供給されたＣＭ判定結果信号ＣＭＤに基づき、現時点においてチューナ部１０１で復調された第１映像音声データＡＶ１が番組に対応したものであるか否かを判定する（ステップＳ１１０）。ステップＳ１１０において、第１映像音声データＡＶ１が番組に対応したものではないと判定された場合、コントローラ２１０は、上記ステップＳ１８１の実行に戻り、前述した如き動作を繰り返し実行する。
【００６８】
一方、ステップＳ１１０において、第１映像音声データＡＶ１が番組に対応したものであると判定された場合、コントローラ２１０は、第１映像音声データＡＶ１を選択させるべき選択信号ＳＥＬを出力セレクタ１１０に供給する（ステップＳ１１１）。かかるステップＳ１１１の実行により、チューナ部１０１にて選局された放送局から放送された番組に対応した映像及び音声が表示装置１２０によって表示及び音声出力される。
【００６９】
又、上記ステップＳ１８１において、操作部１０４から選局信号ＣＳ又は決定信号ＥＮが供給されたと判定された場合、コントローラ２１０は、これが決定信号ＥＮであるのか否かを判定する（ステップＳ１８２）。ステップＳ１８２において、決定信号ＥＮではないと判定された場合、つまりチャンネルを変更させるべき選局信号ＣＳが供給された場合には、コントローラ２１０は、上記ステップＳ１０３の実行に戻り、前述した如き動作を再度実行する。一方、かかるステップＳ１８２において、決定信号ＥＮが供給されたと判定された場合、コントローラ２１０は、ＣＭ判定部１０７から供給されたＣＭ判定結果信号ＣＭＤに基づき、現時点においてチューナ部１０２で復調された第２映像音声データＡＶ２が番組に対応したものであるか否かを判定する（ステップＳ１１２）。ステップＳ１１２において、第２映像音声データＡＶ２が番組に対応したものではないと判定された場合、コントローラ２１０は、上記ステップＳ１８１の実行に戻り、前述した如き動作を繰り返し実行する。
【００７０】
一方、ステップＳ１１２において、第２映像音声データＡＶ２が番組に対応したものであると判定された場合、コントローラ２１０は、上記ステップＳ１０３においてチューナ部１０２に供給した選局信号ＣＳ２にて示されるチャンネル番号と同一のチャンネル番号を示す選局信号ＣＳ１をチューナ部１０１に供給し（ステップＳ１１３）、その後、上記ステップＳ１１１の実行に移る。これらステップＳ１１３及びＳ１１１による一連の制御によれば、視聴者のチャンネル変更操作に応じて選局された放送局からの番組に対応した第１映像音声データＡＶ１がチューナ部１０１にて復調され、この第１映像音声データＡＶ１に基づく映像及び音声が、表示装置１２０によって表示及び音声出力される。
【００７１】
そして、上記ステップＳ１１１の実行後、コントローラ２１０は、図９に示されるＣＭ回避処理サブルーチンを抜けて、メインフロー（図示せぬ）に従った制御の実行に移行する。
【００７２】
図９に示されるＣＭ回避処理によれば、チューナ部１０１で復調された第１映像音声データＡＶ１に基づく映像を視聴している際に視聴者がチャンネル変更を行うと、その視聴映像が、一旦、第２のチューナ部１０２で復調された第２映像音声データＡＶ２に基づく番組（ＣＭを含まず）の映像に切り替わる（ステップＳ１０５）。
【００７３】
ただし、このチューナ部１０２で復調された第２映像音声データＡＶ２がＣＭに対応したものである場合には、その視聴映像を、録画メモリ１０９に予め録画しておいた番組の再生映像に切り替える（ステップＳ１０７）。この際、かかるＣＭの放送時点が番組前後の時点である場合には、このＣＭ直後に放送されるべき番組と同一番組名の番組の最後尾部（予告用録画番組データ）を録画メモリ１０９から再生し、その再生映像を表示させるようにしている（ステップＳ１６１〜Ｓ１６３）。
【００７４】
よって、視聴者が、例えば連続ドラマの如き所望の番組の開始直前に放送されるＣＭの視聴を回避すべくチャンネル変更操作を行うと、ＣＭ放送中であるにも拘わらず、この所望番組の前回放送分の最後尾部が再生表示される。従って、視聴者は、この所望番組の視聴直前において、前回放送分の最後尾部を予告編として視聴することが可能となる。
【００７５】
尚、上記実施例においては、録画メモリ１０９に録画すべき予告用録画番組データ（ＡＶ２）に関する情報として、図８に示す如き、チャンネル番号、放送時間帯、番組名及び放送日等の項目を対応づけして表す予告番組録画情報を示しているが、この項目として放送曜日を加えても構わない。
【００７６】
又、上記実施例においては、予め録画メモリ１０９に蓄積しておくべき番組のデータ（ＡＶ２）及び電子番組データＥＰＧを放送波から取得するようにしているが、これをインターネット網を介して所定のサーバから取得するようにしても良い。ただし、放送波から取得する方が、ネットワーク接続が困難な場所や装置に対して適応が容易であるというメリットがある。
【００７７】
又、上述した如き予告用番組を録画メモリ１０９から再生するにあたり、ニュースや天気予報の如き前回放送分の録画内容が意味を為さないような番組に対しては、これらニュース又は天気予報の次に放送される番組における前回放送分を再生するようにしても良い。
【００７８】
又、上記実施例１及び２に示される放送受信装置の機能は、テレビジョン受像器或いはビデオレコーダ等の他にも、パーソナルコンピュータ或いは携帯電話機に設けるようにしても良い。
【図面の簡単な説明】
【００７９】
【図１】本発明の第１の実施例による放送受信装置の構成を示す図である。
【図２】操作部１０４の操作面の一部を示す図である。
【図３】図１のコントローラ２００が実行する番組最後尾部録画処理サブルーチンを示す図である。
【図４】図１のコントローラ２００が実行するＣＭ回避処理サブルーチンを示す図である。
【図５】本発明の第２の実施例による放送受信装置の構成を示す図である。
【図６】図５のコントローラ２１０が実行する予告用番組録画処理サブルーチンを示す図である。
【図７】電子番組データＥＰＧの内容の一例を示す図である。
【図８】予告番組録画情報の内容の一例を示す図である。
【図９】図５のコントローラ２００が実行するＣＭ回避処理サブルーチンを示す図である。
【符号の簡単な説明】
【００８０】
101,102,202 チューナ部
１０４      操作部  
１０７      ＣＭ判定部
１０８      巡回選局
１０９      録画メモリ
１１０      出力セレクタ
１２０      表示装置
200,210     コントローラ
【図１】
2009218805.tif 000003
【図２】
2009218805.tif 000004
【図３】
2009218805.tif 000005
【図４】
2009218805.tif 000006
【図５】
2009218805.tif 000007
【図６】
2009218805.tif 000008
【図７】
2009218805.tif 000009
【図８】
2009218805.tif 000010
【図９】
2009218805.tif 000011